(57)【要約】  【課題】  高い取得感度で画像の色情報を取得することができるスキャナ装置及び画像読取方法を提供する。【解決手段】  異なる色成分の光を照射する複数の光源からの照射光に基づいて色成分毎に画像データを読み取る画像データ読取制御手段３０を備えたスキャナ装置であって、各光源を同時点灯する同時点灯状態と色成分毎に個別点灯する個別点灯状態を切替える光源制御手段３１と、色成分毎に対応したＣＣＤ３４と、個別点灯状態で各光源が順次異なる照射光量で点灯したときの各ＣＣＤ３４からの画素信号に基づいて各ＣＣＤ３４の不正感度情報を取得する不正感度情報取得手段３５と、不正感度情報に基づいて不正感度補正関数を生成する不正感度補正関数生成手段３６と、同時点灯状態における各ＣＣＤ３４からの画素信号を不正感度補正関数に基づいて補正する画素信号補正手段３７を備える。【選択図】  図１
2007036794.tif 000002
【特許請求の範囲】
【請求項１】
互いに異なる色成分の光を照射する複数の光源と、前記各光源からの照射光に基づいて前記色成分毎に画像データを読み取る画像データ読取制御手段を備えたスキャナ装置であって、
前記画像データ読取制御手段が、前記各光源の照射光量を調節するとともに、前記各光源を同時点灯する同時点灯状態と色成分毎に個別点灯する個別点灯状態を切り替える光源制御手段と、前記色成分毎に対応した固体撮像素子と、前記個別点灯状態で前記各光源が順次異なる照射光量で個別点灯したときの前記各固体撮像素子からの画素信号に基づいて前記各固体撮像素子の不正感度情報を取得する不正感度情報取得手段と、前記取得された不正感度情報に基づいて不正感度補正関数を生成する不正感度補正関数生成手段と、前記同時点灯状態における前記各固体撮像素子からの画素信号を前記不正感度補正関数に基づいて補正する画素信号補正手段を備えているスキャナ装置。
【請求項２】
前記不正感度補正関数が、前記光源制御手段により前記各光源が同時点灯されたときの前記各固体撮像素子の画素信号から、それぞれに対応した色成分以外の色成分の照射光に応じて光電変換された画素信号成分を除去する関数となっている請求項１に記載のスキャナ装置。
【請求項３】
互いに異なる色成分の光を照射する複数の光源からの照射光に基づいて、前記色成分毎に画像データを読み取る画像読取方法であって、
前記各光源の照射光量を調節するとともに、前記各光源を同時点灯する同時点灯状態と色成分毎に個別点灯する個別点灯状態を切り替える光源制御ステップと、前記個別点灯状態で前記各光源が順次異なる照射光量で個別点灯したときの前記色成分毎に対応した各固体撮像素子からの画素信号に基づいて前記各固体撮像素子の不正感度情報を取得する不正感度情報取得ステップと、前記取得された不正感度情報に基づいて不正感度補正関数を生成する不正感度補正関数生成ステップと、前記同時点灯状態における前記各固体撮像素子からの画素信号を前記不正感度補正関数に基づいて補正する出力信号補正ステップからなる画像読取方法。
【発明の詳細な説明】
【技術分野】
【０００１】
本発明は、互いに異なる色成分の光を照射する複数の光源と、前記各光源からの照射光に基づいて前記色成分毎に画像データを読み取る画像データ読取手段を備えたスキャナ装置及び画像読取方法に関する。
【背景技術】
【０００２】
従来より、互いに異なる色成分の光を照射する複数のＬＥＤからなる光源と、前記各ＬＥＤからの照射光に基づいて記録媒体に記録されている画像を画像データとして読み取る画像読取手段を備えたスキャナ装置が提案されている。
【０００３】
前記スキャナ装置では、前記各ＬＥＤにより、それぞれ赤色成分、緑色成分または青色成分の光を照射し、前記照射した各色成分の照射光が、前記記録媒体に至るまでの間に、前記各色成分の照射光の光路を一致させることで、前記各色成分の照射光が混合された白色照射光を生成するように構成されている。また、前記画像読取手段に、前記記録媒体を介して照射される前記白色照射光に基づいて光電変換し、画像信号を出力する固体撮像素子を備え、前記画像読取手段が、前記固体撮像素子から出力された画像信号に基づいて画像データを生成するように構成されている。
【０００４】
更に、前記スキャナ装置に適用される前記固体撮像素子は、主に、前記白色照射光における赤色成分の照射光に対して光電変換を行う複数の赤用感光部、緑色成分の照射光に対して光電変換を行う複数の緑用感光部、及び、青色成分の照射光に対して光電変換を行う複数の青用感光部が、それぞれ一列に配列されることで、各色成分の照射光に対応した３列の感光部群からなっているＣＣＤラインセンサが用いられる。そして、前記ＣＣＤラインセンサは、互いに隣り合う前記赤用感光部、緑用感光部及び青用感光部を一組とし、前記記録媒体に記録されている画像の一単位領域に対して、前記一組の感光部により各色成分の画像信号を出力する。
【０００５】
また、前記各色成分に対応した感光部は、前記感光部自体は、広い波長範囲の光に対して光電変換するため、各感光部の上層に、各色成分に対応したカラーフィルタを積層することで、他の色成分の光が遮断されるように構成されている。
【特許文献１】特開平１１−３４１２２３号公報
【発明の開示】
【発明が解決しようとする課題】
【０００６】
しかし、前記感光部の上層に積層されたカラーフィルタは、図７に示すように、他の色成分を完全に遮断できるものではなく、ある程度の漏れ光を透過してしまう。このため、前記感光部は、前記他の色成分である漏れ光に対しても光電変換するため、各感光部から出力される蓄積電荷量としての画素信号には、図８に示すように、各感光部に対応した色成分に基づいて光電変換された正規の情報、つまり、正規感度情報の他に、前記他の色成分である漏れ光に対して光電変換された不正感度情報も含まれることとなり、前記記録媒体に記録されていた画像の色情報の取得感度が低下してしまうという問題があった。
【０００７】
本発明は、上述した従来の問題点に鑑み、高い取得感度で画像の色情報を取得することができるスキャナ装置及び画像読取方法を提供する点にある。
【課題を解決するための手段】
【０００８】
上述の目的を達成するため、本発明によるスキャナ装置の第一の特徴構成は、特許請求の範囲の書類の請求項１に記載した通り、互いに異なる色成分の光を照射する複数の光源と、前記各光源からの照射光に基づいて前記色成分毎に画像データを読み取る画像データ読取制御手段を備えたスキャナ装置であって、前記画像データ読取制御手段が、前記各光源の照射光量を調節するとともに、前記各光源を同時点灯する同時点灯状態と色成分毎に個別点灯する個別点灯状態を切り替える光源制御手段と、前記色成分毎に対応した固体撮像素子と、前記個別点灯状態で前記各光源が順次異なる照射光量で個別点灯したときの前記各固体撮像素子からの画素信号に基づいて前記各固体撮像素子の不正感度情報を取得する不正感度情報取得手段と、前記取得された不正感度情報に基づいて不正感度補正関数を生成する不正感度補正関数生成手段と、前記同時点灯状態における前記各固体撮像素子からの画素信号を前記不正感度補正関数に基づいて補正する画素信号補正手段を備えている点にある。
【０００９】
上述の構成とすることにより、例えば、リファレンス測定時に、前記各光源を個別点灯する個別点灯状態とすれば、前記不正感度情報取得手段は、色成分毎の光に対応した各固体撮像素子が他の色成分の光に応じて光電変換した画素信号を不正感度情報として取得することができるとともに、対応する色成分の光に応じて光電変換した画素信号を正規感度情報として取得することができるのである。また、前記出力補正手段が、前記同時点灯状態における前記各固体撮像素子からの出力信号を、前記不正感度情報に基づいた不正感度補正関数に基づいて補正するため、高い取得感度で画像の色情報を取得することができるのである。
【００１０】
同第二の特徴構成は、同請求項２に記載した通り、上述の第一の特徴構成に加えて、前記不正感度補正関数が、前記光源制御手段により前記各光源が同時点灯されたときの前記各固体撮像素子の画素信号から、それぞれに対応した色成分以外の色成分の照射光に応じて光電変換された画素信号成分を除去する関数となっている点にある。
【００１１】
上述の構成とすることにより、前記画素信号補正手段が、前記光源制御手段により前記各光源が同時点灯されたときの前記各固体撮像素子の画素信号を、前記不正感度補正関数に基づいて補正することで、前記正規感度情報を画像データとして算出することができるため、高い取得感度で画像の色情報を取得することができるのである。
【００１２】
上述の目的を達成するため、本発明による画像処理方法の第一の特徴構成は、同請求項３に記載した通り、互いに異なる色成分の光を照射する複数の光源からの照射光に基づいて、前記色成分毎に画像データを読み取る画像読取方法であって、前記各光源の照射光量を調節するとともに、前記各光源を同時点灯する同時点灯状態と色成分毎に個別点灯する個別点灯状態を切り替える光源制御ステップと、前記個別点灯状態で前記各光源が順次異なる照射光量で個別点灯したときの前記色成分毎に対応した各固体撮像素子からの画素信号に基づいて前記各固体撮像素子の不正感度情報を取得する不正感度情報取得ステップと、前記取得された不正感度情報に基づいて不正感度補正関数を生成する不正感度補正関数生成ステップと、前記同時点灯状態における前記各固体撮像素子からの画素信号を前記不正感度補正関数に基づいて補正する出力信号補正ステップからなる点にある。
【発明の効果】
【００１３】
以上説明した通り、本発明によれば、高い取得感度で画像の色情報を取得することができるスキャナ装置及び画像読取方法を提供することができるようになった。
【発明を実施するための最良の形態】
【００１４】
以下、本発明によるスキャナ装置及び画像読取方法を適用した写真処理装置の実施の形態について説明する。前記写真処理装置は、図２に示すように、撮影済みのネガフィルム（以下、単に「フィルム」と記す。）Ｆ等から写真画像を読み取る本発明のスキャナ装置としてのフィルムスキャナ１と、モニタＣ１、操作卓Ｃ２、システムコントローラＣを備え、スマートメディア、コンパクトフラッシュ(登録商標)等の各種のカード型メモリやＣＤ−ＲＯＭ、ＭＯ等の磁気式や光学式の記憶媒体に対応した複数のドライバを備えた操作設定部ＯＰと、前記フィルムスキャナ１で読み取られた写真画像データに基づいて印画紙を露光、現像処理して写真プリントＰを出力するプリンタ３とからなり、前記フィルムスキャナ１は、前記操作設定部ＯＰ及び前記プリンタ３とからなる本体と分離して構成されている。
【００１５】
前記プリンタ３は、図３に示すように、ロール状の印画紙Ｐが収容されたペーパーマガジン５０と、前記ペーパーマガジン５０から印画紙を引き出して搬送する複数の印画紙搬送ローラ５２と、搬送ローラ５２を駆動するモータ５４と、搬送される印画紙Ｐの感光面を露光する蛍光ビーム方式のプリントヘッド６０と、露光済みの印画紙に現像、漂白、定着の各処理を施す現像処理部６２と、現像処理された印画紙を乾燥しながら搬送する乾燥部６４と、乾燥された印画紙Ｐを最終のプリントとして排出する排出部６６とを備えて構成されている。尚、前記ペーパーマガジン５０から引き出された印画紙Ｐは、現像処理の前後何れかに配置されたカッター（図示せず）によって所定のプリントサイズにカットされて排出部６６に出力される。
【００１６】
前記プリントヘッド６０は、グリッド電圧の調節により発光が制御される蛍光体にレンズとカラーフィルタを装着した蛍光体素子を主走査方向に並べた赤色発光ブロックと緑色発光ブロックと青色発光ブロックの三列で構成してあり、前記フィルムスキャナ１により読み取られた赤色成分、緑色成分、青色成分の各画像データに基づいて駆動制御することにより印画紙上に写真画像を生成する。
【００１７】
前記システムコントローラＣは、ＣＰＵ、ＲＯＭ、ＲＡＭ、Ｉ／Ｆ回路等でなるマイクロコンピュータシステムを備えて構成してあり、モニタＣ１に表示された各種情報に従った操作卓Ｃ２からの入力操作に基づいて、上述のフィルムスキャナ１やプリンタ３の各ブロックを所定の手順で制御して動作させる。
【００１８】
前記フィルムスキャナ１は、フィルムＦに読取用の照明光を照射する照明光学系１０、フィルムＦを搬送するフィルム搬送機構２０と、前記照明光学系１０及び前記フィルム搬送機構２０を制御し、前記フィルム搬送機構２０により搬送されたフィルムＦに記録されているコマ画像を前記照明光学系１０からの照射光に基づいて画像データとして読み取る画像データ読取制御手段３０を備えて構成されている。尚、前記画像データ読取制御手段３０は、前記システムコントローラＣと制御信号ラインＬ１により接続されることで、前記システムコントローラＣからシステム動作を制御されるとともに、前記システムコントローラＣへ前記読み取った画像データを送信するように構成されている。
【００１９】
つまり、前記フィルムスキャナ１は、前記制御信号ラインＬ１を介して前記システムコントローラＣによりフィルム読取指令が送られると、前記画像データ読取制御手段３０が、前記照明光学系１０から照射光を照射させた後に、前記フィルム搬送機構２０によりフィルムＦを所定速度で搬送させ、当該画像データ読取制御手段３０によりフィルム上に記録されたコマ画像を順次読み取り、前記読み取った画像データを前記システムコントローラＣへ前記制御信号ラインＬ１を介して送信するように構成されている。尚、前記システムコントローラＣへ送信された画像データは、記憶手段７０に記憶され、所定の画像処理等が施された後、当該画像データに基づいて駆動されるプリントヘッド６０により印画紙Ｐに露光され、更に、現像処理されて写真プリントとして出力される。
【００２０】
また、前記フィルムスキャナ１は、当該フィルムスキャナ１の起動時において、前記画像データ読取制御手段３０による画像データの読み取り精度を向上すべく、後述する不正感度情報を取得するリファレンス測定を実施するように構成されている。つまり、前記画像データ読取制御手段３０が、当該フィルムスキャナ１の起動時に、リファレンス測定として、予め前記不正感度情報を取得しておき、前記システムコントローラＣによるフィルム読取指令により開始されるフィルム上に記録されたコマ画像を画像データとして読み取る画像データ読取動作の際に、前記不正感度情報に基づいて更生された画像データを読み取るように構成されている。
【００２１】
前記照明光学系１０は、フィルムＦの搬送方向である副走査方向（図３で矢印で示す）に直交する主走査方向に沿ってそれぞれ配置した列状の赤色ＬＥＤ群１１ｒ、緑色ＬＥＤ群１１ｇ、青色ＬＥＤ群１１ｂと、前記各ＬＥＤ群からの照射光を平行光化し、それぞれが前記ＬＥＤ群に対応するように設置された平行光化レンズ１６ｒ、１６ｇ、１６ｂと、前記平行光化された各照射光の光路を一致させることで白色照射光を生成するダイクロミラー１７ｐ、１７ｑと、前記白色照射光の照射強度等を調整する調光フィルタ１２と、同白色照射光をスリット状に集光するシリンドリカルレンズ１３と、前記集光白色照射光の強度分布を均一にする拡散板１４と、その開閉動作によって前記集光白色照射光を所定タイミング時のみ通過させる幅狭のスリット状のシャッター１５を備え、前記シャッター１５を通過するなどして前記主走査方向に沿ったスリット状になった集光白色照射光をフィルム上に照射するように構成されている。尚、前記赤色ＬＥＤ群１１ｒは赤色成分の照射光を、前記緑色ＬＥＤ群１１ｇは緑色成分の照射光を、前記青色ＬＥＤ群１１ｂは青色成分の照射光を照射するように構成されている。また、前記ダイクロミラー１７ｐは、４５度傾斜方向から照射される赤色成分の照射光を透過するとともに、４５度傾斜方向から照射される他の色成分の照射光を反射し、前記ダイクロミラー１７ｑは、４５度傾斜方向から照射される緑色成分の照射光を透過するとともに、４５度傾斜方向から照射される他の色成分の照射光を反射することで、前記平行光化された各照射光の光路を一致させるように構成されている。
【００２２】
また、前記各ＬＥＤ群、つまり、前記赤色ＬＥＤ群１１ｒ、前記緑色ＬＥＤ群１１ｇ、前記青色ＬＥＤ群１１ｂは、後述する光源制御手段３１により、前記ＬＥＤ群毎に照射光量を調節されるとともに、前記各ＬＥＤ群を同時点灯する同時点灯状態と、前記ＬＥＤ群毎に個別点灯する個別点灯状態を切り替えられるように構成されている。
【００２３】
前記フィルム搬送機構２０は、フィルムＦを前記スリット１５の直下のフィルム投影部に向けて搬送する複数の搬送ローラ対２１と、搬送ローラ対２１を駆動するモータ２２を備えて構成してあり、前記フィルムＦが所定速度で搬送制御されるように構成されている。
【００２４】
前記画像データ読取制御手段３０は、図１に示すように、前記白色照射光がフィルムＦを透過したスリット光を集光する集光レンズ（不図示）と、前記集光レンズによる集光位置に設置され前記集光光を光電変換する固体撮像素子としてのＣＣＤラインセンサ３４と、前記ＣＣＤラインセンサ３４により光電変換された蓄積電荷量を画素信号として取得し、前記画素信号に基づいて画像データを生成する画像データ生成手段３２と、前記ＬＥＤ群毎に照射光量を調節するとともに、前記各ＬＥＤ群を同時点灯する同時点灯状態と、前記ＬＥＤ群毎に個別点灯する個別点灯状態を切り替える前記光源制御手段３１と、前記フィルム搬送機構２０を駆動制御するとともに、前記シャッター１５を所定タイミングで開閉させる搬送制御手段３３等を備えて構成されている。
【００２５】
前記ＣＣＤラインセンサ３４は、前記白色照射光としての集光光における赤色成分の照射光に対して光電変換を行う複数の赤用感光部、緑色成分の照射光に対して光電変換を行う複数の緑用感光部、及び、青色成分の照射光に対して光電変換を行う複数の青用感光部が、それぞれ主走査方向に一列に配列されることで、各色成分の照射光に対応した３列の感光部群からなり、また、副走査方向に互いに隣り合う前記赤用感光部、緑用感光部及び青用感光部が一組の感光部対として構成されている。つまり、前記フィルム上の各コマ画像は、前記各色成分の照射光に対応した３列の感光部が、それぞれ、例えば、５０００個あったときには、前記主操作方向に対して、５０００領域に分割されて取得されるように、また、前記領域毎に前記各感光部対によって、赤色成分、緑色成分、青色成分の色成分毎に分解されて取得されるように構成されている。
【００２６】
前記光源制御手段３１は、予め設定されている複数の出力信号に基づいて前記ＬＥＤ群の照射光量が順次異なる照射光量となるように前記各ＬＥＤ群を前記ＬＥＤ群毎に点灯する個別点灯状態と、予め設定されている所定の出力信号に基づいて前記各ＬＥＤ群の照射光量が安定した照射光量となるように前記各ＬＥＤ群を同時に点灯する同時点灯状態とを切り替えるもので、前記リファレンス測定時に前記個別点灯状態に切り替え、前記画像データ読取動作時に前記同時点灯状態に切り替えるように構成されている。
【００２７】
前記搬送制御手段３３は、前記フィルム搬送機構２０を駆動制御するもので、前記リファレンス測定時には、前記各ＬＥＤ群から照射される照射光が前記ＣＣＤラインセンサに至るまでの光路上に、前記フィルムＦが介在しないように前記フィルム搬送機構２０を制御した後停止させ、また、前記読取実行時に、前記フィルムＦを前記フィルム搬送機構２０により所定速度で搬送制御するように構成されている。
【００２８】
前記画像データ生成手段３２は、前記個別点灯状態のときに、つまり、前記リファレンス測定時に、前記各ＬＥＤ群が順次異なる照射光量で個別点灯されたときの前記ＣＣＤラインセンサの各感光部からの出力信号に基づいて前記各感光部の不正感度情報を取得する不正感度情報取得手段３５と、前記取得された不正感度情報に基づいて不正感度補正関数を生成する不正感度補正関数生成手段３６と、前記同時点灯状態のときに、つまり、前記画像データ読取動作時に、前記ＣＣＤラインセンサの各感光部からの画素信号を前記不正感度補正関数に基づいて補正する画素信号補正手段３７を備えて構成されている。
【００２９】
前記不正感度情報取得手段３５は、前記リファレンス測定時に、前記各ＬＥＤ群が順次異なる照射光量で個別点灯されたときの前記ＣＣＤラインセンサの各感光部からの出力信号に基づいて前記各感光部の不正感度情報を取得するように構成されている。
【００３０】
ここで、前記光源制御手段３１により前記各ＬＥＤ群が同時点灯されたときに、前記赤色用感光部が光電変換する蓄積電荷量Ｒｃｃｄは、〔数１〕に示すように、前記赤色ＬＥＤ群１１ｒの照射光に基づいて光電変換される蓄積電荷量Ｒｒと、前記緑色ＬＥＤ群１１ｇの照射光に基づいて光電変換される蓄積電荷量Ｒｇと、前記青色ＬＥＤ群１１ｂの照射光に基づいて光電変換される蓄積電荷量Ｒｂの和となる。
【００３１】
【数１】
2007036794.tif 000003
【００３２】
また、同様に、前記緑色用感光部が光電変換する蓄積電荷量Ｇｃｃｄは、〔数２〕に示すように、前記赤色ＬＥＤ群１１ｒの照射光に基づいて光電変換される蓄積電荷量Ｇｒと、前記緑色ＬＥＤ群１１ｇの照射光に基づいて光電変換される蓄積電荷量Ｇｇと、前記青色ＬＥＤ群１１ｂの照射光に基づいて光電変換される蓄積電荷量Ｇｂの和となり、前記緑色用感光部が光電変換する蓄積電荷量Ｂｃｃｄは、〔数３〕に示すように、前記赤色ＬＥＤ群１１ｒの照射光に基づいて光電変換される蓄積電荷量Ｂｒと、前記緑色ＬＥＤ群１１ｇの照射光に基づいて光電変換される蓄積電荷量Ｂｇと、前記青色ＬＥＤ群１１ｂの照射光に基づいて光電変換される蓄積電荷量Ｂｂの和となる。
【００３３】
【数２】
2007036794.tif 000004
【００３４】
【数３】
2007036794.tif 000005
【００３５】
つまり、前記不正感度情報取得手段３５は、前記光源制御手段３１により前記各ＬＥＤ群を個別点灯することにより、前記赤色ＬＥＤ群１１ｒの照射光に基づいて前記赤用感光部が光電変換する蓄積電荷量Ｒｒと、前記緑色ＬＥＤ群１１ｇの照射光に基づいて前記緑用感光部が光電変換する蓄積電荷量Ｇｇと、前記青色ＬＥＤ群１１ｂの照射光に基づいて前記青用感光部が光電変換する蓄積電荷量Ｂｂを正規感度情報として取得するとともに、前記赤色ＬＥＤ群１１ｒの照射光に基づいて前記緑用感光部が光電変換する蓄積電荷量Ｇｒと、同じく前記赤色ＬＥＤ群１１ｒの照射光に基づいて前記青用感光部が光電変換する蓄積電荷量Ｂｒと、前記緑色ＬＥＤ群１１ｇの照射光に基づいて前記赤用感光部が光電変換する蓄積電荷量Ｒｇと、同じく前記緑色ＬＥＤ群１１ｇの照射光に基づいて前記青用感光部が光電変換する蓄積電荷量Ｂｇと、前記青色ＬＥＤ群１１ｂの照射光に基づいて前記赤用感光部が光電変換する蓄積電荷量Ｒｂと、同じく前記青色ＬＥＤ群１１ｂの照射光に基づいて前記緑用感光部が光電変換する蓄積電荷量Ｇｂを不正感度情報として取得するように構成されている。
【００３６】
また、前記不正感度情報取得手段３５は、前記光源制御手段３１により前記各ＬＥＤ群の照射光量ｉを調整することで、前記各照射光量ｉにおける前記正規感度情報と前記不正感度情報を取得し、前記取得した前記各照射光量ｉにおける前記正規感度情報と前記不正感度情報を、前記正規感度情報に対する前記不正感度情報と前記正規感度情報の比の関係である関数に変換するように構成されている。つまり、前記不正感度情報取得手段３５は、前記正規感度情報と前記不正感度情報を、図４（ａ）に示される前記蓄積電荷量Ｒｒ（ｉ）に対する前記蓄積電荷量Ｇｒ（ｉ）と前記蓄積電荷量Ｒｒ（ｉ）の比の関係である第一関数、図４（ｂ）に示される前記蓄積電荷量Ｒｒ（ｉ）に対する前記蓄積電荷量Ｂｒ（ｉ）と前記蓄積電荷量Ｒｒ（ｉ）の比の関係である第二関数、図４（ｃ）に示される前記蓄積電荷量Ｇｇ（ｉ）に対する前記蓄積電荷量Ｒｇ（ｉ）と前記蓄積電荷量Ｇｇの比の関係である第三関数、図４（ｄ）に示される前記蓄積電荷量Ｇｇ（ｉ）に対する前記蓄積電荷量Ｂｇ（ｉ）と前記蓄積電荷量Ｇｇ（ｉ）の比の関係である第四関数、図４（ｅ）に示される前記蓄積電荷量Ｂｂ（ｉ）に対する前記蓄積電荷量Ｒｂ（ｉ）と前記蓄積電荷量Ｂｂ（ｉ）の比の関係である第五関数、及び、図４（ｆ）に示される前記蓄積電荷量Ｂｂ（ｉ）に対する前記蓄積電荷量Ｇｂ（ｉ）と前記蓄積電荷量Ｂｂ（ｉ）の比の関係である第六関数に変換するように構成されている。
【００３７】
前記不正感度補正関数生成手段３６は、前記〔数１〕、前記〔数２〕、及び、前記〔数３〕、並びに、前記不正感度情報取得手段３５により変換された前記第一関数、前記第二関数、前記第三関数、前記第四関数、前記第五関数、及び、前記第六関数に基づいて〔数４〕に示すような、前記光源制御手段３１により前記各ＬＥＤ群が同時点灯されたときに前記赤色用感光部が光電変換する前記蓄積電荷量Ｒｃｃｄ、前記緑色用感光部が光電変換する前記蓄積電荷量Ｇｃｃｄ、及び、前記青色用感光部が光電変換する前記蓄積電荷量Ｂｃｃｄを補正して、前記正規感度情報としての前記赤色ＬＥＤ群１１ｒの照射光に基づいて前記赤用感光部が光電変換する蓄積電荷量Ｒｒと、前記緑色ＬＥＤ群１１ｇの照射光に基づいて前記緑用感光部が光電変換する蓄積電荷量Ｇｇと、前記青色ＬＥＤ群１１ｂの照射光に基づいて前記青用感光部が光電変換する蓄積電荷量Ｂｂを算出することができる不正感度補正関数を生成するように構成されている。つまり、前記不正感度補正関数は、前記光源制御手段により前記各光源が同時点灯されたときの前記各固体撮像素子の画素信号から、それぞれに対応した色成分以外の色成分の照射光に応じて光電変換された画素信号成分を除去する関数となっている。
【００３８】
【数４】
2007036794.tif 000006
【００３９】
尚、前記〔数４〕におけるαｒｒ、αｒｇ、αｒｂ、αｇｒ、αｇｇ、αｇｂ、αｂｒ、αｂｇ、αｂｂ、βｒｒ、βｒｇ、βｒｂ、βｇｒ、βｇｇ、βｇｂ、βｂｒ、βｂｇ、及び、βｂｂは、前記関数等により必然的に定まる定数である。
【００４０】
前記画素信号補正手段３７は、前記画像データ読取動作時に、前記光源制御手段３１により前記各ＬＥＤ群を同時点灯させ、前記赤色用感光部が光電変換する前記蓄積電荷量Ｒｃｃｄとしての画素信号、前記緑色用感光部が光電変換する前記蓄積電荷量Ｇｃｃｄとしての画素信号、及び、前記青色用感光部が光電変換する前記蓄積電荷量Ｂｃｃｄとしての画素信号を前記不正感度補正関数に基づいて補正することで、前記正規感度情報としての前記赤色ＬＥＤ群１１ｒの照射光に基づいて前記赤用感光部が光電変換する蓄積電荷量Ｒｒと、前記緑色ＬＥＤ群１１ｇの照射光に基づいて前記緑用感光部が光電変換する蓄積電荷量Ｇｇと、前記青色ＬＥＤ群１１ｂの照射光に基づいて前記青用感光部が光電変換する蓄積電荷量Ｂｂを画像データとして算出するように構成されている。
【００４１】
以下、前記画像データ読取制御手段３０の動作について図５、図６のフローチャートに基づいて説明する。前記写真処理装置に電源が投入され、前記フィルムスキャナ１が起動されると、前記画像データ読取制御手段３０は、前記リファレンス測定を開始する。
【００４２】
つまり、前記搬送制御部３３が、前記各ＬＥＤ群から照射される照射光が前記ＣＣＤラインセンサに至るまでの光路上に、前記フィルムＦが介在しないように前記フィルム搬送機構２０を制御した後停止させるとともに（ＳＡ１）、前記シャッター１５を閉じる（ＳＡ２）。また、前記不正感度情報取得手段３５が、前記ＣＣＤラインセンサ３４における各感光部に蓄積されている蓄積電荷量をリセットする（ＳＡ３）。つまり、蓄積電荷量を空にする。そして、前記光源制御手段３１が、例えば、最初に前記赤色ＬＥＤ群１１ｒを、予め設定されている複数の出力信号Ｖ（ｉ）に基づいてその照射光量ｉが順次異なる照射光量ｉとなるように個別点灯する（ＳＡ４）。
【００４３】
前記赤色ＬＥＤ群１１ｒが前記光源制御手段３１により前記出力信号Ｖ（ｉ）に基づいて個別点灯されると、前記搬送制御手段３３は、前記シャッター１５を所定時間だけ開いて閉じる。つまり、前記フィルムＦを介することのない前記赤色ＬＥＤ群１１ｒからの照射光をスリット光として前記シャッター１５を通過させ、前記ＣＣＤラインセンサ上に前記スリット光を所定時間だけ照射する（ＳＡ５）。
【００４４】
前記ＣＣＤラインセンサ上に前記スリット光が照射されると、前記ＣＣＤラインセンサ３４における各感光部が、前記赤色ＬＥＤ群１１ｒからの照射光に基づいて光電変換を行うので（ＳＡ６）、前記不正感度情報取得手段３５が、前記ＣＣＤラインセンサ３４の各感光部で光電変換されることにより蓄積された蓄積電荷量、つまり、前記赤色用感光部に蓄積された正規感度情報としての蓄積電荷量Ｒｒ（ｉ）、前記緑色用感光部に蓄積された不正感度情報としての蓄積電荷量Ｇｒ（ｉ）、前記青色用感光部に蓄積された不正感度情報としての蓄積電荷量Ｂｒ（ｉ）をそれぞれ画素信号として取得するとともに、各感光部に蓄積されている蓄積電荷量を空にする（ＳＡ７）。
【００４５】
前記光源制御手段３１が、前記赤色ＬＥＤ群１１ｒの照射光量ｉを順次異なる照射光量ｉとし（ＳＡ３）、前記赤色ＬＥＤ群１１ｒの各照射光量に対する前記ステップＳＡ４から前記ステップＳＡ６の処理が終了すると（ＳＡ８）、前記緑色ＬＥＤ群１１ｇ、前記青色ＬＥＤ群１１ｂに対しても、前記ステップＳＡ４から前記ステップＳＡ８の処理が同様に実行される。尚、このとき、前記不正感度情報取得手段３５は、前記緑色ＬＥＤ群１１ｇが個別点灯されるときには、前記赤色用感光部に蓄積された不正感度情報としての蓄積電荷量Ｒｇ（ｉ）、前記緑色用感光部に蓄積された正規感度情報としての蓄積電荷量Ｇｇ（ｉ）、前記青色用感光部に蓄積された不正感度情報としての蓄積電荷量Ｂｇ（ｉ）をそれぞれ画素信号として取得し、また、前記青色ＬＥＤ群１１ｂが個別点灯されるときには、前記赤色用感光部に蓄積された不正感度情報としての蓄積電荷量Ｒｂ（ｉ）、前記緑色用感光部に蓄積された不正感度情報としての蓄積電荷量Ｇｂ（ｉ）、前記青色用感光部に蓄積された正規感度情報としての蓄積電荷量Ｂｂ（ｉ）をそれぞれ画素信号として取得する。
【００４６】
前記各ＬＥＤ群の個別点灯が終了すると（ＳＡ９）、前記不正感度情報取得手段３５は、前記取得した各照射光量ｉにおける正規感度情報と不正感度情報を、前記図４（ａ）に示した前記蓄積電荷量Ｒｒに対する前記蓄積電荷量Ｇｒと前記蓄積電荷量Ｒｒの比の関係である第一関数、前記図４（ｂ）に示した前記蓄積電荷量Ｒｒに対する前記蓄積電荷量Ｂｒと前記蓄積電荷量Ｒｒの比の関係である第二関数、前記図４（ｃ）に示した前記蓄積電荷量Ｇｇに対する前記蓄積電荷量Ｒｇと前記蓄積電荷量Ｇｇの比の関係である第三関数、前記図４（ｄ）に示した前記蓄積電荷量Ｇｇに対する前記蓄積電荷量Ｂｇと前記蓄積電荷量Ｇｇの比の関係である第四関数、前記図４（ｅ）に示した前記蓄積電荷量Ｂｂに対する前記蓄積電荷量Ｒｂと前記蓄積電荷量Ｂｂの比の関係である第五関数、及び、前記図４（ｆ）に示した前記蓄積電荷量Ｂｂに対する前記蓄積電荷量Ｇｂと前記蓄積電荷量Ｂｂの比の関係である第六関数に変換する（ＳＡ１０）。
【００４７】
前記不正感度情報取得手段３５により前記第一関数、前記第二関数、前記第三関数、前記第四関数、前記第五関数、及び、前記第六関数が変換生成されると、前記不正感度補正関数生成手段３６は、これらの関数と、前記〔数１〕、前記〔数２〕、前記〔数３〕に基づいて前記〔数４〕に示した不正感度補正関数を生成し（ＳＡ１１）、リファレンス測定が終了する。
【００４８】
当該フィルムスキャナ１にフィルムがセットされ、前記リファレンス測定が終了した後に、前記システムコントローラＣからフィルム読取指令が入力されると、前記画像データ読取制御手段３０は、前記画像データ読取動作を開始する。
【００４９】
つまり、前記光源制御手段３１が予め設定されている所定の出力信号に基づいて前記各ＬＥＤ群の照射光量が安定した照射光量となるように前記各ＬＥＤ群を同時点灯させ（ＳＢ１）、また、前記搬送制御部３３が前記各ＬＥＤ群から照射される照射光が前記ＣＣＤラインセンサに至るまでの光路上に前記フィルムＦが順次通過するように前記フィルム搬送機構２０の制御を開始するとともに（ＳＢ２）、前記シャッター１５の開閉制御をも開始する（ＳＢ３）。
【００５０】
前記画素信号補正手段３７は、前記シャッター１５の開閉毎に、前記赤色用感光部が光電変換する前記蓄積電荷量Ｒｃｃｄとしての画素信号、前記緑色用感光部が光電変換する前記蓄積電荷量Ｇｃｃｄとしての画素信号、及び、前記青色用感光部が光電変換する前記蓄積電荷量Ｂｃｃｄとしての画素信号を取得し（ＳＢ４）、これらを前記不正感度補正関数に基づいて補正することで、前記正規感度情報としての前記蓄積電荷量Ｒｒと、前記蓄積電荷量Ｇｇと、前記蓄積電荷量Ｂｂを算出し、前記算出した正規感度情報を画像データとする（ＳＢ５）。
【００５１】
尚、前記算出された画像データは前記システムコントローラＣへ送信される。
【図面の簡単な説明】
【００５２】
【図１】画像データ読取制御手段の説明図
【図２】フィルムスキャナを含む写真処理装置の外観説明図
【図３】フィルムスキャナを含む写真処理装置のブロック構成図
【図４】正規感度情報に対する不正感度情報と正規感度情報の比の関係である関数の説明図であり、（ａ）は蓄積電荷量Ｒｒ（ｉ）に対する蓄積電荷量Ｇｒ（ｉ）と蓄積電荷量Ｒｒ（ｉ）の比の関係である第一関数、（ｂ）は蓄積電荷量Ｒｒ（ｉ）に対する蓄積電荷量Ｂｒ（ｉ）と蓄積電荷量Ｒｒ（ｉ）の比の関係である第二関数、（ｃ）は蓄積電荷量Ｇｇ（ｉ）に対する蓄積電荷量Ｒｇ（ｉ）と蓄積電荷量Ｇｇの比の関係である第三関数、（ｄ）は蓄積電荷量Ｇｇ（ｉ）に対する蓄積電荷量Ｂｇ（ｉ）と蓄積電荷量Ｇｇ（ｉ）の比の関係である第四関数、（ｅ）は蓄積電荷量Ｂｂ（ｉ）に対する蓄積電荷量Ｒｂ（ｉ）と蓄積電荷量Ｂｂ（ｉ）の比の関係である第五関数、（ｆ）は蓄積電荷量Ｂｂ（ｉ）に対する蓄積電荷量Ｇｂ（ｉ）と蓄積電荷量Ｂｂ（ｉ）の比の関係
【図５】リファレンス測定時における画像データ読取制御手段３０の動作を説明するためのフローチャート
【図６】画像データ読取動作時における画像データ読取制御手段３０の動作を説明するためのフローチャート
【図７】カラーフィルタの遮光性能の説明図
【図８】正規感度情報と不正感度情報の説明図
【符号の説明】
【００５３】
１：フィルムスキャナ
１１ｂ：青色ＬＥＤ群
１１ｇ：緑色ＬＥＤ群
１１ｒ：赤色ＬＥＤ群
３０：画像データ読取制御手段
３１：光源制御手段
３２：画像データ生成手段
３３：搬送制御手段
３４：ＣＣＤラインセンサ
３５：不正感度情報取得手段
３６：不正感度補正関数生成手段
３７：画素信号補正手段
【図１】
2007036794.tif 000007
【図２】
2007036794.tif 000008
【図３】
2007036794.tif 000009
【図４】
2007036794.tif 000010
【図５】
2007036794.tif 000011
【図６】
2007036794.tif 000012
【図７】
2007036794.tif 000013
【図８】
2007036794.tif 000014